(57)【要約】【課題】戸内の騒音を簡単に遮断し、耳障りとならないように軽減するとともに、デザイン性にも優れた簡易遮音間仕切りを提供する。【解決手段】騒音の発生源に近い方から順に、拡散・反射層１、吸音層２、遮音層３の各層を積層してなる遮音間仕切りであって、上記拡散・反射層１は棒状部材１１が吊り紐１２によって隙間を設けてすだれ状に上下に連設され、吸音層２は肉厚部材から構成され、遮音層３は高密度部材から構成され、上記吸音層２と遮音層３とは熱融着により一体化されている。好ましくは、吸音層２と遮音層３に、さらに化粧層４を融着し、一体化される。【選択図】図１
2004285695.tif 000002
【特許請求の範囲】
【請求項１】
騒音の発生源に近い方から順に、拡散・反射層、吸音層、遮音層の各層を積層してなる遮音間仕切りであって、上記拡散・反射層は棒状部材が吊り紐によって隙間を設けてすだれ状に上下に連設され、吸音層は肉厚部材から構成され、遮音層は高密度部材から構成され、上記吸音層と遮音層とは熱融着により一体化されていることを特徴とする簡易遮音間仕切り。
【請求項２】
上記拡散・反射層が、上下に連設された上記棒状部材に、さらに左右に棒状部材を連設し、格子組状とされた簡易遮音間仕切り。
【請求項３】
上記拡散・反射層に用いられる上記棒状部材の外径が３〜５ｍｍである請求項１に記載の簡易遮音間仕切り。
【請求項４】
上記吸音層に用いられる肉厚部材が、その厚みを３．０〜５．０ｍｍとするとともに、不織布からなる請求項１に記載の簡易遮音間仕切り。
【請求項５】
上記遮音層に用いられる高密度部材が、高比重物質を混入した面密度３．２ｋｇ／ｍ２以上のポリオレフィン系シートである請求項１に記載の簡易遮音間仕切り。
【請求項６】
上記吸音層と遮音層に、さらに化粧層を融着し、一体化してなる請求項１に記載の簡易遮音間仕切り。
【発明の詳細な説明】
【０００１】
【発明の属する技術分野】
本発明は、遮音間仕切りに関する。さらに詳しくは、遮音性と吸音性とを有するとともに、デザイン性にも優れた簡易遮音間仕切りに関する。
【０００２】
【従来の技術】
近年、住宅の気密化が進むとともに、戸内において発生する騒音が外部に漏れず、反響過多となる傾向がある。例えば、マンションのリビング・ダイニング・キッチン（ＬＤＫ）等において、キッチン（Ｋ）で発生する水道音、食器の触れ合う音等がリビング・ダイニングルーム（ＬＤ）に響き、耳障りとなることが多々ある。このような問題を解決するために、従来から遮音カーテン、吸音カーテン等の各種技術が提案されている（特許文献１、２、３参照。）。
【０００３】
【特許文献１】
実開昭５６−７３４９２号公報（第１頁、第１図、第２図）
【特許文献２】
特開平７−２１３４１８号公報（第１−３頁、第１図）
【特許文献３】
特開平１１−５６５９６号公報（第１−３頁、第１図、第２図）
【０００４】
【発明が解決しようとする課題】
しかしながら、上記公知文献に記載の技術を用いても、近年の気密化が進んだ戸内において発生する騒音を遮音、吸音するには十分とはいえず、さらに、簡単に、戸内の騒音を遮断する技術が求められている。本発明は、このような状況の下で考え出されたものであって、例えば、マンションのＬＤＫにおいて、キッチン（Ｋ）で発生する水道音、食器の触れ合う音等の戸内の騒音を簡単に遮断し、リビング・ダイニングルーム（ＬＤ）に居ても、耳障りとならないように軽減するとともに、デザイン性にも優れた簡易遮音間仕切りを提供することをその課題とする。
【０００５】
【課題を解決するための手段】
本発明は、上記課題を解決するために考え出されたものであって、つぎのような技術的手段を講じている。すなわち、本発明によれば、騒音の発生源に近い方から順に、拡散・反射層、吸音層、遮音層の各層を積層してなる遮音間仕切りであって、上記拡散・反射層は棒状部材が吊り紐によって隙間を設けてすだれ状に上下に連設され、吸音層は肉厚部材から構成され、遮音層は高密度部材から構成され、上記吸音層と遮音層とは熱融着により一体化されていることを特徴とする簡易遮音間仕切りが提供される。このようにすることによって、キッチンで発生する音等、戸内の騒音を簡単に遮断し、耳障りとならないように軽減するとともに、デザイン性にも優れた簡易遮音間仕切りを提供することができる。
【０００６】
上記拡散・反射層は、上下に連設された棒状部材に、さらに左右に棒状部材を連設し、格子組状とすることが好ましい。このようにすることによって、騒音の発生源に最も近い拡散・反射層が、まず、騒音を、反射して、拡散させ、外部に漏れないようにすることができる。なお、上記棒状部材は丸棒に限られず、側断面四角形または三角形等種々の形状の物を用いることができる。
【０００７】
上記拡散・反射層に用いられる棒状部材の外径は、３〜５ｍｍとすることが好ましい。上記棒状部材を木材、竹、籐、かや等の丸棒で構成し、吊り紐によって、隙間を設けてすだれ状、または格子組状とすることにより、優れた拡散・反射効果を得ることができる。
【０００８】
上記吸音層に用いられる肉厚部材は、その厚みを、３．０〜５．０ｍｍとするとともに、不織布から構成されることが好ましい。例えば、上記厚みを有するポリプロピレン製の不織布を用いることにより、良好な吸音性を得ることができる。
【０００９】
上記遮音層に用いられる高密度部材は、高比重物質を混入した面密度３．２ｋｇ／ｍ２以上のポリオレフィン系シートとすることが好ましい。例えば、鉛粉等の高比重物質をポリプロピレンに混練したシートを用いることによって、優れた遮音性を得ることができる。
【００１０】
上記吸音層と遮音層に、さらに化粧層を融着し、一体化することが好ましい。このようにすることにより、ＬＤ側からは、カラフルに模様付けされた化粧層が目に入るため、デザイン性に優れた簡易遮音間仕切りとすることができる。
【００１１】
【発明の実施の形態】
以下、本発明の好ましい実施の形態について、図面を参照して、実施例により、さらに詳細に説明する。図１は、本実施例にかかる簡易遮音間仕切りＡの概略を示す分解説明図であり、図２は、部分縦断面図である。図１、図２からよくわかるように、簡易遮音間仕切りＡは、騒音の発生源に近い方から順に、拡散・反射層１、吸音層２、遮音層３、化粧層４を積層して構成されている。
【００１２】
本実施例においては、上記拡散・反射層１は、外径が３〜５ｍｍの木製丸棒を、すだれ状に、吊り紐１２によって隙間を設けて上下に連設して構成されている。また、吸音層２は、厚みが３．０〜５．０ｍｍの肉厚部材であるポリプロピレンの不織布（目付３００〜６００ｇ／ｍ２）から構成され、遮音層３は、鉛粉を混練した面密度３．２ｋｇ／ｍ２のポリプロピレン製シート（厚み１．０〜２．０ｍｍ）が用いられ、さらに、遮音層３の上には、ポリプロピレン製の模様入り不織布（厚み０．１５〜０．５ｍｍ、目付５０〜２００ｇ／ｍ２）が化粧層４として積層されている。
【００１３】
上記のように、積層された吸音層２、遮音層３、化粧層４を加熱、熱融着させ一体化した後に、吸音層２の上に拡散・反射層１を接着する。かくして本発明の簡易遮音間仕切りＡを得ることができる。図３は、上記のように構成した簡易遮音間仕切りＡを枠体に組み込み、上から吊下げ、カーテン式として、リビング・ダイニング・キッチン（ＬＤＫ）に設けた状態を表す模式図である。例えば、図４に示すように、ＬＤＫにおけるキッチンＫを、簡易遮音間仕切りＡを吊下げて遮音し、かつ、間仕切り食器棚Ｍによって仕切り、個室化すれば、キッチンＫ内で発生する水道音、食器の触れ合う音等の騒音を、リビング・ダイニングルームＬＤにおいて耳障りとならない程度まで軽減することができる。
【００１４】
【発明の効果】
以上述べたように、請求項１に記載の発明は、拡散・反射層１、吸音層２、遮音層３の各層を積層してなる遮音間仕切りであって、上記拡散・反射層１は棒状部材１１が吊り紐１２によって隙間を設けてすだれ状に上下に連設され、吸音層２は肉厚部材から構成され、遮音層３は高密度部材から構成され、上記吸音層２と遮音層３とは熱融着により一体化されていることを特徴とする簡易遮音間仕切りＡである。このようにすることによって、キッチンＫで発生する音等、戸内の騒音を簡単に遮断し、耳障りとならないように軽減するとともに、デザイン性にも優れた簡易遮音間仕切りＡを提供することができる。
【００１５】
請求項２に記載の発明は、上記拡散・反射層１は、上下に連設された棒状部材１１に、さらに左右に棒状部材１１を連設し、格子組状とされる。このようにすることによって、請求項１に記載の発明の効果に加えて、騒音の発生源に最も近い拡散・反射層１が、まず、騒音を、反射して、拡散させ、外部に漏れないようにすることができる。
【００１６】
請求項３に記載の発明は、上記拡散・反射層１に用いられる棒状部材１１の外径が３〜５ｍｍとされる。上記棒状部材１１を木材、竹、籐、かや等の丸棒で構成し、吊り紐１２によって、隙間を設けてすだれ状、または格子組状とすることにより、請求項１に記載の発明の効果に加えて、優れた拡散・反射効果を得ることができる。
【００１７】
請求項４に記載の発明は、上記吸音層２に用いられる肉厚部材が、その厚みを、３．０〜５．０ｍｍとするとともに、不織布から構成される。例えば、上記厚みを有するポリプロピレン製の不織布を用いることにより、請求項１に記載の発明の効果に加えて、良好な吸音性を得ることができる。
【００１８】
請求項５に記載の発明は、上記遮音層３に用いられる高密度部材が、高比重物質を混入した面密度３．２ｋｇ／ｍ２以上のポリオレフィン系シートとされる。例えば、鉛粉等の高比重物質をポリプロピレンに混練したシートを用いることによって、請求項１に記載の発明の効果に加えて、優れた遮音性を得ることができる。
【００１９】
請求項６に記載の発明は、上記吸音層２と遮音層３に、さらに化粧層４を融着し、一体化される。このようにすることにより、請求項１に記載の発明の効果に加えて、ＬＤ側からは、カラフルに模様付けされた化粧層４が目に入るため、デザイン性に優れた簡易遮音間仕切りＡとすることができる。
【図面の簡単な説明】
【図１】本発明にかかる簡易遮音間仕切りの概略を示す分解説明図である。
【図２】上記簡易遮音間仕切りの部分縦断面図である。
【図３】上記簡易遮音間仕切りをカーテン式としＬＤＫに設けた状態を表す模式図である。
【図４】ＬＤＫに上記簡易遮音間仕切りを配置した状態を示す平面図である。
【符号の説明】
１          拡散・反射層
１１        棒状部材
１２        吊り紐
２          吸音層
３          遮音層
４          化粧層
Ａ          本発明にかかる簡易遮音間仕切り
Ｋ          キッチン
ＬＤ        リビング・ダイニングルーム
Ｍ          間仕切り食器棚
【図１】
2004285695.tif 000003
【図２】
2004285695.tif 000004
【図３】
2004285695.tif 000005
【図４】
2004285695.tif 000006